(57)【要約】【課題】従来からの構造を基調とし、簡易かつ効果的に足の配置位置に自由度を持たせることのできるスノーボード用バインディングを提供する。【解決手段】スノーボード３０に対するバインディングベース２２の取り付けに、ロータリーディスク１２を用いるバインディング１０であって、ロータリーディスク１２には、取付ねじ１８の軸部がスライド可能な長孔により構成した複数の取付孔１４が設けられ、取付孔１４における締付部の厚みよりも長いカラー２０を有し、ロータリーディスク１２は、カラー２０を介して取付孔１４のねじ止めが成される構成としたことを特徴とする。【選択図】図１
2019205787.tif 000002
【特許請求の範囲】
【請求項１】
スノーボードに対するバインディングベースの取り付けに、ロータリーディスクを用いるスノーボード用バインディングであって、
前記ロータリーディスクには、取付ねじの軸部がスライド可能な長孔により構成した複数の取付孔が設けられ、
前記取付孔における締付部の厚みよりも長いカラーを有し、
前記ロータリーディスクは、前記カラーを介して前記取付孔のねじ止めが成される構成としたことを特徴とするスノーボード用バインディング。
【請求項２】
前記取付孔には、弾性素材により構成され、前記取付ねじの軸部の直径に対応した貫通孔または隙間を有するブッシュが備えられていることを特徴とする請求項１に記載のスノーボード用バインディング。
【請求項３】
前記ブッシュは、異なる硬度を有するものと交換可能であることを特徴とする請求項２に記載のスノーボード用バインディング。
【請求項４】
複数の前記取付孔は、同心円上に位置する円弧となるように形成したことを特徴とする請求項１乃至３のいずれか１項に記載のスノーボード用バインディング。
【請求項５】
複数の前記取付孔は、１つを丸孔とし、他の取付孔を前記丸孔を中心とした同心円上に位置する円弧となるように形成したことを特徴とする請求項１乃至３のいずれか１項に記載のスノーボード用バインディング。
【請求項６】
前記円弧状の取付孔は、前記同心円の中心から等距離に形成したことを特徴とする請求項４または５に記載のスノーボード用バインディング。
【発明の詳細な説明】
【技術分野】
【０００１】
本発明は、スノーボード用バインディングに係り、特に、スノーボーダーの姿勢制御の向上を図るのに好適なスノーボード用バインディングに関する。
【背景技術】
【０００２】
スノーボードのブーツは、バインディングを介してボードに保持されることで、ボードと足（ブーツ）とが離れる事が無くなり、滑走時における様々な操作が可能となる。これに対し、サーフィンやスケートボードといった他のボードスポーツでは、ボードと足とが固定されていないことが一般的であり、他のボードスポーツからスノーボードへ移行する際には、完全に固定状態となる足の配置に違和感を覚えるということがある。
【０００３】
このため近年では、スノーボードにおいても、足の配置位置に自由度を持たせる事が望まれてきている。一般的に、スノーボードのバインディングは、スノーボードに直接固定されるロータリーディスクと、このロータリーディスクによって位置決めされるバインディングベースにより、スノーボードに対する位置決め固定が成される。
【０００４】
特許文献１に開示されているバインディングは、上面を小径とした傘歯を有するロータリーディスクと、このロータリーディスクによって位置決めされるバインディングベースとを基本とするものである。特許文献１に開示されているロータリーディスクには、中央に、バインディングベースを貫通する位置決めねじが備えられている。そして、バインディングベースには、位置決めねじの頭部を挿通可能な開口部と、軸部のみを挿通可能な開口部とを連通させた異形開口部を備えたフラットプレートが備えられている。そして、フラットプレートを移動させ、口径の異なる孔を選択することで、バインディングベースをロータリーディスクから僅かに浮かせ、設置向きを変化させることと、バインディングベースをロータリーディスクに密接させて、その動きを規制することが可能な構成とされている。
【０００５】
このような構成によれば、ロータリーディスクを外す事なくバインディングベースの向きを変えることができる。しかしながら、このような構成では、滑走時における足の配置位置に自由度を持たせることはできないという問題がある。
【０００６】
これに対し、特許文献２に開示されているバインディングは、ロータリーディスクにあたる構成要素を積層構造とした上で、ロータリーディスクに、スラスト軸受としての機能を持たせている。このため、このロータリーディスクにバインディングベースを固定することで、バインディングベースは、回転方向への自由度を持つこととなる。なお、特許文献２におけるロータリーディスクには、回転角度を制限するストッパーと、回転後の原点復帰のための復帰手段（ばね）を備えることも開示されている。
【先行技術文献】
【特許文献】
【０００７】
【特許文献１】特開２００１−１８７１７６号公報
【特許文献２】特開２００７−２１５９９７号公報
【発明の概要】
【発明が解決しようとする課題】
【０００８】
特許文献２に開示されている構成のバインディングであれば、足首を回転させる方向への自由度を向上させることができると考えられる。しかし、特許文献２に開示されているバインディングのロータリーディスクは、少なくとも５つの積層部材と、複数の回転制御部材とによって構成されることとなる。このため、部品点数が多く、複雑な構造になると共に、滑走時の振動や衝撃、操作時の応力に耐え得る強度を持たせるためには、各要素に相当な厚みを持たせる必要があり、高価で厚みのあるものとなってしまう事が予想され、実現性が低いという問題がある。
【０００９】
そこで本発明では、従来からの構造を基調とし、簡易かつ効果的に足の配置位置に自由度を持たせることのできるスノーボード用バインディングを提供することを目的とする。
【課題を解決するための手段】
【００１０】
上記目的を達成するための本発明に係るスノーボード用バインディングは、スノーボードに対するバインディングベースの取り付けに、ロータリーディスクを用いるスノーボード用バインディングであって、前記ロータリーディスクには、取付ねじの軸部がスライド可能な長孔により構成した複数の取付孔が設けられ、前記取付孔における締付部の厚みよりも長いカラーを有し、前記ロータリーディスクは、前記カラーを介して前記取付孔のねじ止めが成される構成としたことを特徴とする。
【００１１】
また、上記のような特徴を有するスノーボード用バインディングにおいて前記取付孔には、弾性素材により構成され、前記取付ねじの軸部の直径に対応した貫通孔または隙間を有するブッシュを備えることもできる。このような特徴を有する事によれば、取付ねじをガイドとして長孔に沿ってスライドしたロータリーディスクを原点位置に復帰させることが可能となる。
【００１２】
また、上記のような特徴を有するスノーボード用バインディングにおいて前記ブッシュは、異なる硬度を有するものと交換することもできる。このような特徴を有する事によれば、スノーボーダーの体格や体重、筋力等に応じて、変形度合を変化させることが可能となる。
【００１３】
また、上記のような特徴を有するスノーボード用バインディングにおける複数の前記取付孔は、同心円上に位置する円弧となるように形成すると良い。このような特徴を有する事によれば、ロータリーディスクにより固定されたバインディングは、回転中心を基点として回転方向へスライドすることが可能となる。
【００１４】
また、上記のような特徴を有するスノーボード用バインディングにおける複数の前記取付孔は、１つを丸孔とし、他の取付孔を前記丸孔を中心とした同心円上に位置する円弧となるように形成しても良い。このような特徴を有する事によれば、ロータリーディスクにより固定されたバインディングは、回転中心としての丸孔を基点として、回転方向へスライドすることが可能となる。
【００１５】
さらに、上記のような特徴を有するスノーボード用バインディングにおいて前記円弧状の取付孔は、前記同心円の中心から等距離に形成すると良い。このような特徴を有する事によれば、スノーボードにおける既存の取付孔に対応させることが可能となる。
【発明の効果】
【００１６】
上記のような特徴を有するスノーボード用バインディングによれば、従来からの構造を基調とし、簡易かつ効果的に足の配置位置に自由度を持たせることが可能となる。
【図面の簡単な説明】
【００１７】
【図１】第１実施形態に係るバインディングの構成を示す斜視図である。
【図２】ロータリーディスクの構成を示す平面図である。
【図３】ロータリーディスクの構成を示す底面図である。
【図４】図２におけるＡ−Ａ断面を示す図である。
【図５】実施形態に用いるカラーの形態を示す平面図である。
【図６】図５におけるＢ−Ｂ断面を示す図である。
【図７】スノーボードに第１実施形態に係るバインディングを取り付けた状態を示す平面図である。
【図８】図７におけるＣ−Ｃ断面を示す図である。
【図９】スノーボードに取り付けたバインディングの可動状態を説明するための平面図である。
【図１０】第２実施形態に係るバインディングの構成を示す平面図である。
【図１１】取付孔の配置形態を異ならせたロータリーディスクの変形例を示す平面図である。
【図１２】回転中心をロータリーディスクの中心からずらす場合の取付孔の配置形態例を示すロータリーディスクの平面図である。
【発明を実施するための形態】
【００１８】
以下、本発明のスノーボード用バインディングに係る実施の形態について、図面を参照して詳細に説明する。なお、以下に示す実施の形態は、本発明に係るスノーボード用バインディングにおける好適な形態の一部であり、その技術的特徴を備える限度において、構成要素の形態に変化を加えたとしても、本発明の一部とみなすことができる。
【００１９】
［第１実施形態］
まず、図１から図９を参照して、第１実施形態に係るスノーボード用バインディング（以下、単にバインディング１０と称す）について説明する。なお、図面において、図１は、第１実施形態に係るバインディングの構成を示す斜視図であり、図２は、ロータリーディスクの構成を示す平面図である。また、図３は、ロータリーディスクの底面図であり、図４は、図２におけるＡ−Ａ断面を示す図である。図５は、実施形態に用いるカラーの形態を示す平面図であり、図６は、図５におけるＢ−Ｂ断面を示す図である。図７は、スノーボードに第１実施形態に係るバインディングを取り付けた状態を示す平面図であり、図８は、図７におけるＣ−Ｃ断面を示す図である。さらに、図９は、スノーボードに取り付けたバインディングの可動状態を説明するための平面図である。
【００２０】
本実施形態のバインディング１０は、ロータリーディスク１２と、バインディングベース２２を基本として構成されている。
［ロータリーディスク］
ロータリーディスク１２は、スノーボード３０（例えば図７参照）に固定され、詳細を後述するバインディングベース２２の位置決めを担う円盤である。本実施形態に係るロータリーディスク１２には、複数（図２に示す例では４つ）の取付孔１４と、係合部１６が備えられている。取付孔１４は、長孔とされている。バインディング１０に作用させる自由度をロータリーディスク１２の回転方向に持たせる場合、取付孔１４としての長孔は、回転中心Ｏを基点とした円弧に沿って形成する。取付孔１４には、その全域に亙って、ザグリ１４ａが設けられ、詳細を後述する取付ねじ１８のねじ頭を収容可能な構成としている。
【００２１】
係合部１６は、ロータリーディスク１２をスノーボード３０に固定することに伴って、バインディングベース２２の位置決めを成す役割を担う要素である。このため、バインディングベース２２との間での段階的な位置決め係合が可能な構成であれば、その具体的な形態は問わない。本実施形態では、係合部１６を次のような形態としている。すなわち、ロータリーディスク１２の裏面側外縁に沿って、凹凸歯を形成する形態としている。バインディングベース２２の係合部１６に、当該凹凸歯と噛み合う凹凸歯を設けることで、凹凸歯の数に応じた段階的な位置決めが可能となるからである。なお、本実施形態に係るロータリーディスク１２には、裏面側開口部の周囲にも、ザグリ１４ｂを設けている。
【００２２】
本実施形態では、取付ねじ１８として、いわゆる頭部を平らに形成された低頭ねじを採用している。このような構成の取付ねじ１８を採用することで、取付孔１４に設けたザグリ１４ａに、取付ねじ１８の頭部の殆どを収容することができるようになる。
【００２３】
また、本実施形態のバインディング１０では、取付孔１４に配置する取付ねじ１８に、カラー２０を備える構成としている。本実施形態に係るカラー２０は、ボス部２０ａとフランジ部２０ｂから成る。カラー２０は、取付孔１４に設けられ、その長さｌは、少なくとも取付孔１４における裏面側開口部からザグリ１４ａの底面までの厚みｄよりも長くなるように構成されている。取付ねじ１８による締め付けを行った状態で、取付孔１４を取付ねじ１８に沿ってスライドさせることを可能とするためである。
【００２４】
カラー２０におけるボス部は、取付孔１４に対してマイナス公差となる直径を有し、フランジ部２０ｂは、裏面のザグリ１４ｂに収まる直径を有する。また、フランジ部２０ｂは、その厚みと、ザグリ１４ｂの深さとを比較した際、フランジ部２０ｂの方がその値が大きくなるように構成されている。このような構成とすることで、取付ねじ１８により締め付けられたロータリーディスク１２をスノーボード３０から僅かに浮かせ、ロータリーディスク１２の摺動性の向上を図ることができるからである。
【００２５】
［バインディングベース］
バインディングベース２２は、ロータリーディスク１２を介して、スノーボード３０に対する位置決め固定が成される要素であり、スノーボーダーが履くブーツ（不図示）を保持する役割を担うバインディング１０の基礎である。バインディングベース２２の形態は多岐に亙るが、図１に示す形態のバインディングベース２２には、ハイバック２４やバックル（不図示）等の付属物が付帯されることで、ブーツの固定が可能となる。
【００２６】
バインディングベース２２のブーツ当接面には、ロータリーディスク係合部２６（図８参照）が形成されている。ロータリーディスク係合部２６は、ロータリーディスク１２の外形に比べて一回り小さな径を持つ貫通孔である。ロータリーディスク係合部２６の外周部には、ロータリーディスク１２との対向面に、ロータリーディスク１２における係合部１６に対応した凹凸歯（不図示）が形成されている。バインディングベース２２をこのような構成とした場合、ロータリーディスク係合部２６にロータリーディスク１２を係合させ、ロータリーディスク１２をスノーボード３０に固定することで、バインディングベース２２の位置決め固定が成される。
【００２７】
［全体構成と効果］
本実施形態に係るバインディング１０は、スノーボード３０上に配置したバインディングベース２２を、ロータリーディスク１２により位置決め、固定することで構成される。なお、スノーボード３０には図８に示すように、取付ねじ１８を締結するためのインサートナット３２が埋め込まれている。
【００２８】
このようにして構成されたバインディング１０は、ロータリーディスク１２の回転に伴い、バインディング１０自体を回動させる事が可能となる。具体的には、図９（Ａ）に示すように、長孔として形成された取付孔１４における左側端部に取付ねじ１８（カラー２０）が当接している状態から、図９（Ｂ）に示すように、取付孔１４における右側端部に取付ねじ１８（カラー２０）が当接する状態となるまで、ロータリーディスク１２の回転中心Ｏを基点として、バインディング１０を回動させることが可能となる。よって、足の配置位置に自由度を持たせることが可能となる。
【００２９】
このように、本実施形態に係るバインディング１０は、ロータリーディスク１２とバインディングベース２２といった従来からの基本構造を基調とし、簡易かつ効果的に足の配置位置に自由度を持たせることが可能となる。
【００３０】
［第２実施形態］
次に、図１０を参照して、第２実施形態に係るバインディング１０Ａについて説明する。本実施形態に係るバインディング１０Ａは、その殆どの構成を第１実施形態に係るバインディング１０と同一としている。このため、その構成を同一とする箇所には、図面に同一符号を附して、詳細な説明を省略することとする。
【００３１】
本実施形態に係るバインディング１０Ａは、ロータリーディスク１２の取付孔１４にブッシュ２８を備えたことを特徴とする。ブッシュ２８は、取付ねじ１８をガイドとして回転したロータリーディスク１２に対して、原点復帰のための力を作用させる役割を担う要素である。本実施形態に係るブッシュ２８は、弾性素材により構成されている。ブッシュ２８の具体的な形態は問うものでは無いが、その機能を奏する部位が、取付孔１４に嵌る容積を有し、取付ねじ１８の原点位置となる位置に、取付ねじ１８における軸部の直径に対応した貫通孔、あるいは隙間を有するものとすると良い。
【００３２】
このような構成とすることにより、弾性素材により構成されたブッシュ２８は、ロータリーディスク１２に回転方向の負荷がかけられることで、ロータリーディスク１２の回転と共に圧縮変形する。そして、回転方向の負荷が解除されることで、圧縮変形していたブッシュ２８が定常時の形態に戻る。これにより、ロータリーディスク１２と取付ねじ１８との位置関係が原点位置に戻ることとなる。
【００３３】
このような特徴を有するバインディング１０Ａにおいてブッシュ２８は、変形に要する力（負荷）に応じて、その素材や硬度が異なるものを選択、交換することができるようにしても良い。このような構成とすることで、スノーボーダーの体格や体重、筋力等に応じて、変形度合を変化させることが可能となる。
【００３４】
［応用形態］
上記実施形態では、ロータリーディスク１２に形成する取付孔１４は、いずれもロータリーディスク１２の中心（回転中心）から等距離に配置されているように記載した。これは、既存のスノーボード３０におけるインサートナット３２の配置形態をそのまま利用することを前提としたためである。しかしながら、ロータリーディスク１２に形成する取付孔１４は、図１１に示すように、回転中心Ｏを基点として、同心となる円周上に配置されていれば、回転中心Ｏからの距離を異ならせた場合であっても、同様な効果を奏することができる。
【００３５】
また、上記実施形態では、ロータリーディスク１２に形成する取付孔１４は、いずれも長孔とするように記載した。しかしながら、ロータリーディスク１２に設ける取付孔１４は、図１２に示すように、回転中心となる丸孔状の取付孔１４Ａと、取付ねじ１８をガイドとしてスライドする複数の長孔状の取付孔１４Ｂにより構成しても良い。このような構成とする場合、長孔状に形成される取付孔１４Ｂは、丸孔状に形成された取付孔１４Ａを中心とした同心円上に位置するように円弧を形成する。
【００３６】
このように、ロータリーディスク１２の中心から偏った位置に回転中心Ｏを持たせることで、バインディングベース２２の位置決めをした際、バインディング１０（１０Ａ）の踵側、あるいは爪先側をスライドさせるように足の配置位置を変化させることが可能となる。よって、足の大きさに合わせた回転基点の調整を行うことも可能となる。
【００３７】
なお、図１１、図１２に示す例では、説明上、取付孔１４（１４Ｂ）の一部をロータリーディスク１２の外縁側に配置するように示しているが、これは、回転中心Ｏからの半径により定まるものである。よって、取付孔１４（１４Ｂ）をロータリーディスク１２の中心側に位置させる場合には、回転中心Ｏからの距離を短くすれば良い。また、上記実施形態ではいずれも、足の配置位置に自由度を持たせる事について、足首を回転させる方向への自由度を持たせることを前提している。このため、長孔状に形成する取付孔１４は、いずれも、円弧状に形成する旨記載した。しかしながら、足の配置の自由度について、幅方向、あるいは前後方向に、スタンスを変化させるというものである場合、長孔状の取付孔１４は、直線状に形成することとなる。
【符号の説明】
【００３８】
１０，１０Ａ………バインディング、１２………ロータリーディスク、１４，１４Ａ，１４Ｂ………取付孔、１４ａ………ザグリ、１４ｂ………ザグリ、１６………係合部、１８………取付ねじ、２０………カラー、２０ａ………ボス部、２０ｂ………フランジ部、２２………バインディングベース、２４………ハイバック、２６………ロータリーディスク係合部、２８………ブッシュ、３０………スノーボード、３２………インサートナット。
【図１】
2019205787.tif 000003
【図２】
2019205787.tif 000004
【図３】
2019205787.tif 000005
【図４】
2019205787.tif 000006
【図５】
2019205787.tif 000007
【図６】
2019205787.tif 000008
【図７】
2019205787.tif 000009
【図８】
2019205787.tif 000010
【図９】
2019205787.tif 000011
【図１０】
2019205787.tif 000012
【図１１】
2019205787.tif 000013
【図１２】
2019205787.tif 000014